(57)【特許請求の範囲】
【請求項１】
上端に大洗浄用および小洗浄用の操作部をそれぞれ設けるとともに下端を排水筒に連通させたケーシングと、
大洗浄用の操作部によって前記ケーシング内に上下方向に回動自在に配置された一方の駆動リンクと、
当該駆動リンクに連接され下端に前記排水筒への流路に備えた弁座に着座する弁体とこの弁体の上方にフロートとを備えたインナースリーブと、
小洗浄用の操作部によって前記ケーシング内に上下方向に回動自在に配置された他方の駆動リンクと、
当該駆動リンクに連接されるとともに前記インナースリーブに外挿され且つウェイターを設けたアウタースリーブとを備え、
前記アウタースリーブとインナースリーブとの間に当該アウタースリーブとインナースリーブを係合するためのカムを設け、前記カムは前記インナースリーブのみが昇降する大洗浄操作のとき前記アウタースリーブとインナースリーブとの係合を解除すべく構成したことを特徴とするロータンク排水弁。
【請求項２】
前記アウタースリーブに、前記インナースリーブに設けた係合突起に係合する前記カムを上下方向に回動可能に設けたことを特徴とする請求項１記載のロータンク排水弁。
【請求項３】
前記各駆動リンクはそれぞれ操作アームを介してインナースリーブとアウタースリーブに連接されており、
前記カムはその上端側にリンクロッドを一体に形成するとともにこのリンクロッドの基端に設けた枢軸によってアウタースリーブに連接されており、
かつ、前記リンクロッドの先端がインナースリーブに連接された操作アームに当接されて、操作アームの上昇によって前記カムが枢軸周りに回動し前記インナースリーブに設けた係合突起への係合を解除することを特徴とする請求項２記載のロータンク排水弁。
【請求項４】
前記係合突起は、下端側がテーパ形状となっていることを特徴とする請求項３に記載のロータンク排水弁。
【発明の詳細な説明】
【０００１】
【発明の属する技術分野】
本発明は、便器の洗浄水タンクに備えられ小洗浄及び大洗浄に切り換えて使用できるロータンク排水弁に関する。
【０００２】
【従来の技術】
従来から便器の洗浄水タンクにデュアル・フラッシュバルブ方式のロータンク排水弁が使用されている。このデュアル・フラッシュバルブ方式のロータンク排水弁は、洗浄水タンクの内部に組み込まれ小洗浄及び大洗浄のそれぞれの操作ボタンを洗浄水タンクの表面に配置したものである。
【０００３】
このようなデュアル・フラッシュバルブ方式のロータンク排水弁の例として、たとえば米国特許明細書第５，６５７，４９４号や豪州特許明細書第６９２００９号に記載されたものがある。これらの明細書に記載のロータンク排水弁は、フロートとウェイターとを備え、これらのフロート及びウェイターが水位を検知することで閉弁を制御可能としたものである。すなわち、大洗浄時ではフロートの位置まで水位が下がるとフロートによる浮力が減少して閉弁し、小洗浄時はウェイターと連結されているアウタースリーブがウェイター下方に位置するカム駆動でフロート上に乗り上げウェイターの位置までタンク内の水位が下がるとウェイターの重みが浮力に打ち勝って閉弁する。
【０００４】
【発明が解決しようとする課題】
このような構成では、カムによる駆動は小洗浄時に行われる。ところが、小洗浄は大洗浄に比べて使用頻度が高く、カムの動作は頻繁に行われる。このため、カムの消耗度が大きくなり、部材のがたつき等を発生して確実な動作が行えなくなる。すなわち、使用頻度が高い小洗浄の度毎にカムが動作するので、カムの周面の磨耗等が速く進行してしまい安定動作が維持できなくなる。
【０００５】
そこで、本発明はカムの動きを使用頻度が低い大洗浄のときに実行することによりカムの動作を安定させることができるロータンク排水弁を提供することを目的とする。
【０００６】
【課題を解決するための手段】
本発明は、上端に大洗浄用および小洗浄用の操作部をそれぞれ設けるとともに下端を排水筒に連通させたケーシングと、大洗浄用の操作部によって前記ケーシング内に上下方向に回動自在に配置された一方の駆動リンクと、当該駆動リンクに連接され下端に前記排水筒への流路に備えた弁座に着座する弁体とこの弁体の上方にフロートとを備えたインナースリーブと、小洗浄用の操作部によって前記ケーシング内に上下方向に回動自在に配置された他方の駆動リンクと、当該駆動リンクに連接されるとともに前記インナースリーブに外挿され且つウェイターを設けたアウタースリーブとを備え、前記アウタースリーブとインナースリーブとの間に当該アウタースリーブとインナースリーブを係合するためのカムを設け、前記カムは前記インナースリーブのみが昇降する大洗浄操作のとき前記アウタースリーブとインナースリーブとの係合を解除すべく構成したことを特徴とする。
【０００７】
このような構成において、前記アウタースリーブに、前記インナースリーブに設けた係合突起に係合する前記カムを上下方向に回動可能に設けた構成とすることができる。
【０００８】
また、前記各駆動リンクはそれぞれ操作アームを介してインナースリーブとアウタースリーブに連接されており、前記カムはその上端側にリンクロッドを一体に形成するとともにこのリンクロッドの基端に設けた枢軸によってアウタースリーブに連接されており、かつ、前記リンクロッドの先端がインナースリーブに連接された操作アームに当接されて、操作アームの上昇によって前記カムが枢軸周りに回動し前記インナースリーブに設けた係合突起への係合を解除するように構成してもよい。。
【０００９】
更に、前記係合突起は、下端側がテーパ形状となっている構成とすることができる。
【００１０】
【発明の実施の形態】
本発明では、インナースリーブを上昇させることによって弁体を弁座から離して開弁することができ、インナースリーブだけを大洗浄用の操作部によって上昇させた後には開弁によってタンク内の水位が下がり、この水位がフロートの位置よりも下がるとインナースリーブの自重と排水力がフロートの浮力に打ち勝ってインナースリーブは下降して弁体を弁座に着座させて閉弁することができる。この場合、タンク内の貯溜水がフロートの近傍位置まで排水されるので、大洗浄の操作となる。一方、小洗浄用の操作部によって、アウタースリーブを上昇させるとインナースリーブも同時に上昇する構成とすることによって弁体を弁座から離して開弁することができる。このような操作においては、アウタースリーブに設けたカムをインナースリーブの係合突起に係合させることにより、アウタースリーブの重量とウェイター内の水の重量をインナースリーブに設けたフロートの浮力に負荷することによって水位がウェイターの近傍位置にきたときに閉弁することができ、小洗浄が可能となる。
【００１１】
このように、このロータンク排水弁においては、カムはインナースリーブのみが昇降する大洗浄操作のときにアウタースリーブとインナースリーブとの係合を解除すべく回動し、小洗浄の際にはカムは係合して停止したままでインナースリーブを圧下する構成とすることができる。このため、使用頻度が高い小洗浄の場合にはカムを動作させず、使用頻度が低い大洗浄の場合のみカムが回動動作する。したがって、カムの動作回数を減らすことができ、カムの耐久性を向上させることができる。
【００１２】
【実施例】
図１は本発明のデュアル・フラッシュバルブ方式のロータンク排水弁を洗浄水タンクに備えた例を示す要部の縦断面図である。
【００１３】
図において、洗浄水タンクの上端壁１０１（別体のタンク蓋でもよい）と下端壁１０２との間にロータンク排水弁１が組み込まれている。このロータンク排水弁１は上端壁１０１に組み込んだ操作部２とケーシング３とから構成されたものである。
【００１４】
操作部２はハウジング２ａの内部に隔壁２ｂを挟んで配置した大洗浄用ボタン２ｃと小洗浄用ボタン２ｄとを備えたもので、大洗浄用ボタン２ｃ及び小洗浄用ボタン２ｄのそれぞれにロッド２ｅ，２ｆを連結している。なお、大洗浄用ボタン２ｃと小洗浄用ボタン２ｄとの間には隔壁２ｂが位置し、この隔壁２ｂによってこれらのボタン２ｃ，２ｄとの間が遮断される。したがって、大洗浄用ボタン２ｃと小洗浄用ボタン２ｄを同時押しすることがなくなる。
【００１５】
ケーシング３はその下端側に隔壁３ａを形成するとともに下端に排水筒４を備えたもので、この排水筒４を洗浄水タンクの下端壁１０２に開けた開口１０２ａに差し込んでいる。排水筒４からの洗浄水は便器本体（図示せず）に供給される。なお、図１１の外観図に示すように、ケーシング３の周壁には洗浄水タンク内に連通する開口３ｂを開けておき、この開口３ｂからケーシング３内に水が流入する構成とする。
【００１６】
ケーシング３の上端にはロッド２ｅ，２ｆに対向する位置に中間スイッチ５ａ，５ｂを備える。これらの中間スイッチ５ａ，５ｂは圧縮のスプリング５ｃ，５ｄによってロッド２ｅ，２ｆ側に付勢されたものである。
【００１７】
ケーシング３の内部には支軸６が固定され、この支軸６周りに一対の駆動リンク７，８が回転自在に保持されている。そして、駆動リンク７，８にはそれぞれ操作アーム９，１０が連接されている。
【００１８】
操作アーム９の下端にはインナースリーブ１１を連接するとともに、操作アーム１０の下端にはアウタースリーブ１２を連接する。インナースリーブ１１は上端側に突起１１ａと係合突起１１ｂを形成するとともに下端に弁体としてのパッキン１１ｃを備え更にこのパッキン１１ｃの上方にフロート１１ｄを形成したものである。アウタースリーブ１２は水を溜めておくことができる桶状のウェイター１２ａを高さ位置調整可能に備えるとともに、上端側にカム１３を上下方向に回動自在に備えている。
【００１９】
カム１３はその上端側にリンクロッド１３ａを一体に形成するとともにこのリンクロッド１３ａの基端に設けた枢軸１３ｂによってアウタースリーブ１２に連接されたものである。そして、リンクロッド１３ａの先端部分はピン１３ｃを介して操作アーム９に当接されている。そして、操作アーム９の上昇によってピン１３ｃが操作アーム９に沿って当接して移動するときカム１３は枢軸１３ｂ周りに時計方向に回動可能としている。そして、静止位置にあるときには、アウタースリーブ１２の下端が隔壁３ａに着座するとともに、操作アーム９がインナースリーブ１１を外挿している部分の上端と突起１１ａの間に隙間ができるような部材の位置関係としている。
【００２０】
以上の構成において、大洗浄するときには大洗浄用ボタン２ｃを押す。これにより図２に示すように中間スイッチ５ａが押し下られ、駆動リンク７を支軸６周りに時計方向に回動させる。この駆動リンク７の回動によって操作アーム９が上に持ち上げられ、操作アーム９がインナースリーブ１１を外挿している部分の上端が突起１１ａに接触し、インナースリーブ１１を上に引き上げる。そして、このインナースリーブ１１の上昇により、パッキン１１ｃが排水筒４の上端の弁座４ａから離れてから開弁する。このとき、カム１３は操作アーム９の上昇によって時計方向に回動させられ、インナースリーブ１１の係合突起１１ｂと干渉しない姿勢となる。
【００２１】
更に、大洗浄用ボタン２ｃを押し下げると、図３に示すように係合突起１１ｂがカム１３部分を抜ける部分までインナースリーブ１１は上昇して上限位置まで達する。このとき、パッキン１１ｃは排水筒４の弁座４ａから大きく離れて開弁状態に維持される。この開弁によってタンク内に最高水位まで貯留されていた水が排水筒４から便器側へ排水され、便器洗浄が行われる。パッキン１１ｃの上昇による開弁の後には、タンク内の水位が次第に下がっていき、大洗浄に必要な洗浄水が排水筒４から排水されて、フロート１１ｄの位置よりも水位が下がるとインナースリーブ１１の自重と排水力がフロート１１ｄの浮力に打ち勝って、図４に示すようにインナースリーブ１１が降下して図５に示す状態を経て図１に示すようにパッキン１１ｃを弁座４ａに着座させて閉弁する。このインナースリーブ１１の下降においては、係合突起１１ｂの下端側がテーパ状となっているので、カム１３が突起１１ｂに接触した後に、図５に示すようにこの突起１１ｂのテーパ面に倣ってカム１３が時計方向に回動してインスリーブ１１の下降を許す。このインナースリーブ１１の下降により図１の静止状態に復帰する。
【００２２】
以上の行程により大洗浄が行われ、洗浄に必要な流量の洗浄水が便器側に供給される。そして、カム１３は操作アーム９の上昇と下降によって枢軸１３ｂ周りに回動駆動されて動作し、インナースリーブ１１の昇降動作を可能とすることができる。
【００２３】
次いで、小洗浄するときには図１の静止状態において小洗浄用ボタン２ｄを押す。これにより、図６に示すように駆動リンク８が支軸６周りに反時計方向に回動して操作アーム１０を上昇させる。これによりアウタースリーブ１２が上昇して、このアウタースリーブ１２の上端がインナースリーブ１１を外挿している操作アーム９の下端部分に接触する。
【００２４】
小洗浄用ボタン２ｄを図７に示すようにフルストロークまで押し下げていくと、操作アーム１０の上昇に伴ってアウタースリーブ１２とインナースリーブ１１が同時に上昇する。このインナースリーブ１１の上昇によりパッキン１１ｃが弁座４ａから離れて開弁し、タンク内の水が排水筒４から便器側に供給される。洗浄水の排水の期間ではフロート１１ｄによる浮力によってインナースリーブ１１とアウタースリーブ１２は図７の位置に保持され、タンク内の水位の降下により、図８に示すようにアウタースリーブ１２はその自重とウェイター１２ａ内の水の重さによって下降を始める。そして、この下降により、同図８に示すようにカム１３がインナースリーブ１１の突起１１ｂに係合する。
【００２５】
カム１３と係合突起１１ｂの係合によって、アウタースリーブ１２の自重とウェイター１２ａの中の水の重さがインナースリーブ１１に伝達され、図９に示すようにアウタースリーブ１２と一体となってインナースリーブ１１が下降する。そして、アウタースリーブ１２の下端がケーシング３に設けた隔壁３ａに着座してアウタースリーブ１２の下降が停止する。
【００２６】
次いで、図１０に示すようにインナースリーブ１１はその自重と排水力によって下降する。なお、係合突起１１ｂとカム１３は係合している状態を維持する。そして、同図１０に示すように更にインナースリーブ１１が下降するとパッキン１１ｃが弁座４ａに着座して排水が停止する。
【００２７】
以上のように小洗浄のときには、カム１３は図１の姿勢のままに保持され、回動動作しない。したがって、使用頻度が多い小洗浄の際にはカム１３は何らの動作もせず、アウタースリーブ１２が下降するときにインナースリーブ１１の係合突起１１ｂに係合してインナースリーブ１１を押し下げるだけである。このため、カム１３は大洗浄のときの回動動作を繰り返すだけで、小洗浄の際に動作しないので、カム１３の耐久性を向上させることができる。
【００２８】
なお、上述したインナースリーブ１１は、上下端部が開口された筒形状となっており、タンク内の貯水の水位がこのインナースリーブ１１よりも高くなるとこのインナースリーブ１１を介して、便器内に排水するオーバーフロー機構を備えた構造となっている。
【００２９】
また、支軸６は水路を形成しており、大洗浄や小洗浄時の便器への排水後、便器のトラップに水を溜めて封水するために、この支軸６の水路からインナースリーブ１１を介して水を流すようにする。このような構成にすることで、従来のようにインナースリーブ１１に直接封水用の給水管を繋げる必要がなくなり、大洗浄や小洗浄時のインナースリーブの上下可動をスムーズに行なうことができる。
【００３０】
【発明の効果】
本発明ではアウタースリーブとインナースリーブとを連動させて下降させるカムを、使用頻度が低い大洗浄のときのみ回動動作させるようにしているので、カムの耐久性を向上させることができるとともに大洗浄及び小洗浄の両方で確実な動作ができるようになる。
【００３１】
また、大洗浄用の操作アームの上昇によってカムの係合を解除するとともに、インナースリーブに設けた係合突起の下端側に設けたテーパ形状によってカムを誘導して元の係合状態に戻す構成としているため、別部材を設けたり複雑な機構とせずに済み、安価に製造することができる。
【図面の簡単な説明】
【図１】  本発明のデュアル・フラッシュバルブ方式のロータンク排水弁を洗浄水タンクに備えた例を示す要部の縦断面図。
【図２】  大洗浄のときのインナースリーブ引き上げ開始時期の動作を示す要部の縦断面図。
【図３】  大洗浄のときのインナースリーブが上限位置まで到達したときの要部の縦断面図。
【図４】  大洗浄のときのインナースリーブ下降開始時期を示す要部の縦断面図。
【図５】  大洗浄のときのインナースリーブの下降後期を示す要部の縦断面図。
【図６】  小洗浄のときのアウタースリーブの引き上げ開始の時期を示す要部の縦断面図。
【図７】  アウタースリーブとインナースリーブが共に上限まで持ち上がった状態を示す要部の縦断面図。
【図８】  アウタースリーブが自重とウェイター内の水の重さによって下降しカムが係合突起に接触した状態を示す要部の縦断面図。
【図９】  カムと突起との係合によってアウタースリーブとインナースリーブが共に下降しアウタースリーブがケーシングの隔壁に着座した状態を示す要部の縦断面図。
【図１０】  インナースリーブが自重と排水力とによって下降して排水筒を閉弁したときの要部の縦断面図。
【図１１】  ケーシングの外観斜視図。
【符号の説明】
１  ロータンク排水弁
２  操作部
２ａ  ハウジング
２ｂ  隔壁
２ｃ  大洗浄用ボタン
２ｄ  小洗浄用ボタン
２ｅ，２ｆ  ロッド
３  ケーシング
３ａ  隔壁
３ｂ  開口
４  排水筒
４ａ  弁座
５ａ，５ｂ  中間スイッチ
５ｃ，５ｄ  スプリング
６  支軸
７  駆動リンク
９  操作アーム
９ａ  下端
１０  操作アーム
１１  インナースリーブ
１１ａ  突起
１１ｂ  係合突起
１１ｃ  パッキン
１１ｄ  フロート
１２  アウタースリーブ
１２ａ  ウェイター
１３  カム
1３ａ  リンクロッド
１３ｂ  枢軸
１３ｃ  ピン
【図１】
0004306145.tif 000002
【図２】
0004306145.tif 000003
【図３】
0004306145.tif 000004
【図４】
0004306145.tif 000005
【図５】
0004306145.tif 000006
【図６】
0004306145.tif 000007
【図７】
0004306145.tif 000008
【図８】
0004306145.tif 000009
【図９】
0004306145.tif 000010
【図１０】
0004306145.tif 000011
【図１１】
0004306145.tif 000012